(57)【要約】【課題】コンテンツを再生するための方法及び装置を提供すること。【解決手段】本発明は、脱着可能な格納装置に格納されたコンテンツを再生する方法であって、前記格納装置の接続を探知するステップと、前記探知された格納装置から認証情報（ｓｔｏｒａｇｅ  ｄｅｖｉｃｅ  ｃｅｒｔｉｆｉｃａｔｅ）を受信するステップと、前記受信された認証情報をサーバに転送するステップと、前記認証情報に基づいて、前記サーバから暗号化されたメディアファイル及び認証リストを受信するステップであって、前記認証リストは、再生装置、前記格納装置及び前記サーバのうち、少なくとも一つに対する適格性を認証するために利用される、ステップと、前記暗号化されたメディアファイルを前記格納装置に格納し、前記認証リストをアップデートするステップと、前記アップデートされた認証リストに基づいて、前記暗号化されたメディアファイルを再生するステップとを含むことを特徴とするコンテンツ再生方法を提供する。【選択図】図１
2016503605.tif 000002
【特許請求の範囲】
【請求項１】
脱着可能な格納装置に格納されたコンテンツを再生する方法であって、
前記格納装置の接続を探知するステップと、
前記探知された格納装置から認証情報（ｓｔｏｒａｇｅ  ｄｅｖｉｃｅ  ｃｅｒｔｉｆｉｃａｔｅ）を受信するステップと、
前記受信された認証情報をサーバに転送するステップと、
前記認証情報に基づいて、前記サーバから暗号化されたメディアファイル及び認証リストを受信するステップであって、前記認証リストは、再生装置、前記格納装置及び前記サーバのうち、少なくとも一つに対する適格性を認証するために利用される、ステップと、
前記暗号化されたメディアファイルを前記格納装置に格納し、前記認証リストをアップデートするステップと、
前記アップデートされた認証リストに基づいて、前記暗号化されたメディアファイルを再生するステップと、
を含む、コンテンツ再生方法。
【請求項２】
前記暗号化されたメディアファイルは、コンテンツレベル情報を含み、前記コンテンツレベル情報は、カテゴリー化したコンテンツ属性情報を表す、請求項１に記載のコンテンツ再生方法。
【請求項３】
前記受信された認証リストを前記格納装置に予め格納された以前の認証リストと同期化させることによって、前記認証リストのアップデートが行われる、請求項１に記載のコンテンツ再生方法。
【請求項４】
前記認証リストは、前記格納装置のセキュリティー領域に格納される、請求項１に記載のコンテンツ再生方法。
【請求項５】
前記暗号化されたメディアファイルは、前記再生装置にインストールされた特定アプリケーションに基づいて再生される、請求項１に記載のコンテンツ再生方法。
【請求項６】
セキュリティーの適用された高画質コンテンツをダウンロードする方法であって、
再生装置から格納装置の認証情報を要求する信号を受信するステップと、
前記格納装置の認証情報を前記再生装置に転送するステップと、
前記認証情報に基づいて、サーバから暗号化されたメディアファイル及び認証リストを受信するステップであって、前記認証リストは、再生装置、前記格納装置及び前記サーバのうち、少なくとも一つに対する適格性を認証するために利用される、ステップと、
前記暗号化されたメディアファイルを格納するステップと、
前記認証リストをアップデートするステップと、
を含む、セキュリティーの適用された高画質コンテンツをダウンロードする方法。
【請求項７】
前記暗号化されたメディアファイルは、コンテンツレベル情報を含み、前記コンテンツレベル情報は、カテゴリー化したコンテンツ属性情報を表す、請求項６に記載のセキュリティーの適用された高画質コンテンツをダウンロードする方法。
【請求項８】
前記受信された認証リストを前記格納装置に予め格納された以前の認証リストと同期化させることによって、前記認証リストのアップデートが行われる、請求項６に記載のセキュリティーの適用された高画質コンテンツをダウンロードする方法。
【請求項９】
前記認証リストは、前記格納装置のセキュリティー領域に格納される、請求項1に記載のセキュリティーの適用された高画質コンテンツをダウンロードする方法。
【請求項１０】
前記暗号化されたメディアファイルは、前記再生装置にインストールされた特定アプリケーションに基づいて再生される、請求項１に記載のセキュリティーの適用された高画質コンテンツをダウンロードする方法。
【請求項１１】
脱着可能な格納装置に格納されたコンテンツを再生する装置であって、
前記格納装置の接続を探知し、前記探知された格納装置から認証情報を受信し、前記受信された認証情報をサーバに転送し、前記認証情報に基づいて前記サーバから暗号化されたメディアファイル及び認証リストを受信し、前記暗号化されたメディアファイルを前記格納装置に格納し、前記認証リストをアップデートする制御部と、
前記アップデートされた認証リストに基づいて、前記暗号化されたメディアファイルをデコードするデコーダと、
前記デコードされたメディアファイルを出力する出力部とを備え、
前記認証リストは、再生装置、前記格納装置及び前記サーバのうち、少なくとも一つに対する適格性を認証するために利用される、コンテンツ再生装置。
【請求項１２】
前記暗号化されたメディアファイルは、コンテンツレベル情報を含み、前記コンテンツレベル情報は、カテゴリー化したコンテンツ属性情報を表す、請求項１１に記載のコンテンツ再生装置。
【請求項１３】
前記受信された認証リストを前記格納装置に予め格納された以前の認証リストと同期化させることによって、前記認証リストのアップデートが行われる、請求項１１に記載のコンテンツ再生装置。
【請求項１４】
前記暗号化されたメディアファイルは、前記再生装置にインストールされた特定アプリケーションに基づいて再生される、請求項１１に記載のコンテンツ再生装置。
【請求項１５】
セキュリティーの適用された高画質コンテンツをダウンロードする装置であって、
再生装置から格納装置の認証情報を要求する信号を受信し、前記格納装置の認証情報を前記再生装置に転送し、前記認証情報に基づいてサーバから暗号化されたメディアファイル及び認証リストを受信するセキュリティー情報管理部と、
前記暗号化されたメディアファイルを格納するデータ格納部と、
前記認証リストをアップデートするアップデート部とを備え、
前記認証リストは、再生装置、前記格納装置及び前記サーバのうち、少なくとも一つに対する適格性を認証するために利用される、セキュリティーの適用された高画質コンテンツをダウンロードする装置。
【請求項１６】
前記暗号化されたメディアファイルは、コンテンツレベル情報を含み、前記コンテンツレベル情報は、カテゴリー化したコンテンツ属性情報を表す、請求項１５に記載のセキュリティーの適用された高画質コンテンツをダウンロードする装置。
【請求項１７】
前記受信された認証リストを前記格納装置に予め格納された以前の認証リストと同期化させることによって、前記認証リストのアップデートが行われる、請求項１５に記載のセキュリティーの適用された高画質コンテンツをダウンロードする装置。
【請求項１８】
前記暗号化されたメディアファイルは、前記再生装置にインストールされた特定アプリケーションに基づいて再生される、請求項１５に記載のセキュリティーの適用された高画質コンテンツをダウンロードする装置。
【請求項１９】
脱着可能な格納装置に格納されたコンテンツを再生する車両用マルチメディアシステムであって、
前記格納装置の接続を探知するデジタルインタフェース部と、
前記探知された格納装置から認証情報を受信し、前記受信された認証情報をサーバに転送し、前記認証情報に基づいて前記サーバから暗号化されたメディアファイル及び認証リストを受信し、前記暗号化されたメディアファイルを前記格納装置に格納し、前記認証リストをアップデートするＡＶシステム部と、
前記アップデートされた認証リストに基づいて、前記暗号化されたメディアファイルを再生するディスプレイ部とを備え、
前記認証リストは、再生装置、前記格納装置及び前記サーバのうち、少なくとも一つに対する適格性を認証するために利用される、車両用マルチメディアシステム。
【発明の詳細な説明】
【技術分野】
【０００１】
本発明は、コンテンツを再生するための方法及び装置に関する。具体的には、格納装置に格納されたコンテンツをネットワークサービスを構成する機器で再生したり、外部装置またはインターネットサーバなどを介して転送されたコンテンツを再生したりする方法及び装置に関する。
【背景技術】
【０００２】
最近、スマートフォン、スマートＴＶなどでＦｕｌｌ  ＨＤ（Ｈｉｇｈ  Ｄｅｆｉｎｉｔｉｏｎ）を超えて超高解像度のＵＨＤ（Ｕｌｔｒａ  Ｈｉｇｈ  Ｄｅｆｉｎｉｔｉｏｎ）技術を導入することによって、今後、空中波放送だけでなく、映画、コンサート、スポーツなど、いろいろな分野で高解像度及び超高解像度の多様なコンテンツを接するようになる。
【０００３】
しかしながら、従来の再生装置が高解像度及び超高解像度の多様なコンテンツを再生できない場合、ユーザは、このようなコンテンツを利用できなくなる。そのため、再生装置は、高解像度及び超高解像度のコンテンツを再生できなければならず、従来の再生装置でも再生できるようにする方案が必要となる。
【０００４】
また、このような高解像度コンテンツの適法な流通と使用のために、複製防止方案も必要となるはずである。
【発明の概要】
【発明が解決しようとする課題】
【０００５】
本発明では、格納装置に格納されたコンテンツを再生できる機器の構成、ネットワーク構成及びサーバと機器との間の転送プロトコルなどを含むシステムアーキテクチャを定義しようとする。
【０００６】
また、本発明では、格納装置に格納されたコンテンツを再生できない機器の場合、外部サーバから代替可能なコンテンツを検索またはダウンロードできるようにするプロトコル、及びシステムアーキテクチャを提供しようとする。
【０００７】
また、本発明では、ＵＨＤ放送プログラムを格納することができるＴＶチューナーと接続可能な再生機器の場合、代替可能なコンテンツを検索またはダウンロードできるようにするプロトコル、及びシステムアーキテクチャを提供しようとする。
【０００８】
また、本発明では、再生装置でインターネットサーバと接続が可能な場合、再生可能なコンテンツを選択するための装置プロファイル及びコンテンツプロファイルを定義しようとする。
【課題を解決するための手段】
【０００９】
本発明は、脱着可能な格納装置に格納されたコンテンツを再生する方法であって、前記格納装置の接続を探知するステップと、前記探知された格納装置から認証情報（ｓｔｏｒａｇｅ  ｄｅｖｉｃｅ  ｃｅｒｔｉｆｉｃａｔｅ）を受信するステップと、前記受信された認証情報をサーバに転送するステップと、前記認証情報に基づいて、前記サーバから暗号化されたメディアファイル及び認証リストを受信するステップであって、前記認証リストは、再生装置、前記格納装置及び前記サーバのうち、少なくとも一つに対する適格性を認証するために利用される、ステップと、前記暗号化されたメディアファイルを前記格納装置に格納し、前記認証リストをアップデートするステップと、前記アップデートされた認証リストに基づいて、前記暗号化されたメディアファイルを再生するステップとを含むことを特徴とするコンテンツ再生方法を提供する。
【００１０】
本発明において、前記暗号化されたメディアファイルは、コンテンツレベル情報を含み、前記コンテンツレベル情報は、カテゴリー化したコンテンツ属性情報を表すことを特徴とする。
【００１１】
本発明において、前記コンテンツ再生方法は、前記受信された認証リストを前記格納装置に予め格納された以前の認証リストと同期化させることによって、前記認証リストのアップデートが行われることを特徴とする。
【００１２】
本発明において、前記認証リストは、前記格納装置のセキュリティー領域に格納されることを特徴とする。
【００１３】
本発明において、前記暗号化されたメディアファイルは、前記再生装置にインストールされた特定アプリケーションに基づいて再生されることを特徴とする。
【００１４】
本発明は、セキュリティーの適用された高画質コンテンツをダウンロードする方法であって、再生装置から格納装置の認証情報を要求する信号を受信するステップと、前記格納装置の認証情報を前記再生装置に転送するステップと、前記認証情報に基づいて、サーバから暗号化されたメディアファイル及び認証リストを受信するステップであって、前記認証リストは、再生装置、前記格納装置及び前記サーバのうち、少なくとも一つに対する適格性を認証するために利用される、ステップと、前記暗号化されたメディアファイルを格納するステップと、前記認証リストをアップデートするステップとを含むことを特徴とするセキュリティーの適用された高画質コンテンツをダウンロードする方法を提供する。
【００１５】
本発明は、脱着可能な格納装置に格納されたコンテンツを再生する装置であって、前記格納装置の接続を探知し、前記探知された格納装置から認証情報を受信し、前記受信された認証情報をサーバに転送し、前記認証情報に基づいて前記サーバから暗号化されたメディアファイル及び認証リストを受信し、前記暗号化されたメディアファイルを前記格納装置に格納し、前記認証リストをアップデートする制御部と、前記アップデートされた認証リストに基づいて、前記暗号化されたメディアファイルをデコードするデコーダと、前記デコードされたメディアファイルを出力する出力部とを備えるものの、前記認証リストは、再生装置、前記格納装置及び前記サーバのうち、少なくとも一つに対する適格性を認証するために利用されることを特徴とするコンテンツ再生装置を提供する。
【００１６】
本発明は、セキュリティーの適用された高画質コンテンツをダウンロードする装置であって、再生装置から格納装置の認証情報を要求する信号を受信し、前記格納装置の認証情報を前記再生装置に転送し、前記認証情報に基づいてサーバから暗号化されたメディアファイル及び認証リストを受信するセキュリティー情報管理部と、前記暗号化されたメディアファイルを格納するデータ格納部と、前記認証リストをアップデートするアップデート部とを備えるものの、前記認証リストは、再生装置、前記格納装置及び前記サーバのうち、少なくとも一つに対する適格性を認証するために利用されることを特徴とするセキュリティーの適用された高画質コンテンツをダウンロードする装置を提供する。
【００１７】
本発明は、脱着可能な格納装置に格納されたコンテンツを再生する車両用マルチメディアシステムであって、前記格納装置の接続を探知するデジタルインタフェース部と、前記探知された格納装置から認証情報を受信し、前記受信された認証情報をサーバに転送し、前記認証情報に基づいて前記サーバから暗号化されたメディアファイル及び認証リストを受信し、前記暗号化されたメディアファイルを前記格納装置に格納し、前記認証リストをアップデートするＡＶシステム部と、前記アップデートされた認証リストに基づいて、前記暗号化されたメディアファイルを再生するディスプレイ部とを備えるものの、前記認証リストは、再生装置、前記格納装置及び前記サーバのうち、少なくとも一つに対する適格性を認証するために利用されることを特徴とする車両用マルチメディアシステムを提供する。
【発明の効果】
【００１８】
ユーザ機器で支援されないフォーマットまたはプロファイルのコンテンツを格納している格納装置と接続されても、ユーザは、ユーザ機器で再生可能な代替コンテンツファイルをインターネットを介して自動的に検索及び／またはダウンロードすることによって、高画質または超高画質のコンテンツを再生できるようになる。
【００１９】
これにより、ユーザ機器で格納装置に格納されたコンテンツを再生できない場合、ユーザは、直接ダウンロードサーバに接続してコンテンツを検索したり、検索されたコンテンツを選択しダウンロードしたりする等の面倒な手順を行わなくても良い。
【００２０】
また、性能の良くない再生装置であるとしても、代替可能なコンテンツを検索して再生できるようにすることによって、ユーザは、より多様なコンテンツサービスを受けることができるようになる。
【図面の簡単な説明】
【００２１】
【図１】本発明が適用される実施形態であって、セキュリティーの適用された高画質コンテンツ（Ｓｅｃｕｒｅ  Ｈｉｇｈ  Ｄｅｆｉｎｉｔｉｏｎ  Ｃｏｎｔｅｎｔ）サービスを利用するためのシステムを説明するための図である。
【図２】本発明が適用される実施形態であって、セキュリティーの適用された高画質コンテンツを再生する再生装置の概略的な内部ブロック図を示す。
【図３】本発明が適用される実施形態であって、セキュリティーの適用された高画質コンテンツを格納することができる格納装置の概略的な内部ブロック図を示す。
【図４】本発明が適用される実施形態であって、格納装置に格納されているセキュリティーの適用された高画質コンテンツを再生する過程を説明するためのフローチャートである。
【図５】本発明が適用される実施形態であって、セキュリティーの適用された高画質コンテンツを再生するための認証手順を説明するフローチャートである。
【図６】本発明が適用される実施形態であって、格納装置間にセキュリティーの適用された高画質コンテンツを複写（ｃｏｐｙ）する過程を説明するためのフローチャートである。
【図７】本発明が適用される実施形態であって、格納装置間にセキュリティーの適用された高画質コンテンツを移動（ｍｏｖｅ）する過程を説明するためのフローチャートである。
【図８】本発明が適用される実施形態であって、セキュリティーの適用された高画質コンテンツのプロファイル情報を示す。
【図９】本発明が適用される実施形態であって、ディスクに格納されたセキュリティーの適用された高画質コンテンツをキオスク（Ｋｉｏｓｋ）を介してＵＳＢ（Ｕｎｉｖｅｒｓａｌ  Ｓｅｒｉａｌ  Ｂｕｓ）装置にダウンロードする過程を説明する図である。
【図１０】本発明が適用される実施形態であって、ディスクに格納されたセキュリティーの適用された高画質コンテンツをディスクプレーヤー（Ｄｉｓｋ  Ｐｌａｙｅｒ）を介してＵＳＢ（Ｕｎｉｖｅｒｓａｌ  Ｓｅｒｉａｌ  Ｂｕｓ）装置にダウンロードする過程を説明する図である。
【図１１】本発明が適用される実施形態であって、特定アプリケーションを介して格納装置に格納されているセキュリティーの適用された高画質コンテンツを再生する過程を説明するためのフローチャートである。
【図１２】本発明が適用される実施形態であって、格納装置に格納されているセキュリティーの適用された高画質コンテンツを再生できない場合、特定アプリケーションをダウンロードする過程を説明するためのフローチャートである。
【図１３】本発明が適用される実施形態であって、第１再生装置で再生中であるセキュリティーの適用された高画質コンテンツを第２再生装置で再生する過程を説明するためのフローチャートである。
【図１４】本発明が適用される実施形態であって、第１再生装置で再生中であるセキュリティーの適用された高画質コンテンツを第２再生装置で再生する過程を説明するためのフローチャートである。
【図１５】本発明が適用される実施形態であって、セキュリティーの適用された高画質コンテンツを再生する途中に広告情報を出力する過程を説明するための図である。
【図１６】本発明が適用される実施形態であって、セキュリティーの適用された高画質コンテンツを再生する途中に出力される広告情報に含まれるメタデータを示す。
【図１７】本発明が適用される実施形態であって、車両ＡＶシステムで再生中であるセキュリティーの適用された高画質コンテンツを他の再生装置で再生する過程を説明するためのフローチャートである。
【図１８】本発明が適用される実施形態であって、車両ＡＶシステムで再生中であるセキュリティーの適用された高画質コンテンツを他の再生装置で再生する過程を説明するためのフローチャートである。
【図１９】本発明が適用される実施形態であって、格納装置に格納されているセキュリティーの適用された高画質コンテンツを再生できない場合、他のコンテンツプロファイルをダウンロードする過程を説明するためのフローチャートである。
【発明を実施するための形態】
【００２２】
以下、添付された図面を参照して本発明の実施形態の構成とその作用を説明し、図面によって説明される本発明の構成と作用は、一つの実施形態として説明されることに過ぎず、これによって本発明の技術的思想とその核心構成及び作用が制限されない。
【００２３】
なお、本発明において使用される用語は、可能なかぎり現在広く使用される一般的な用語を選択したが、特定の場合は、出願人が任意に選定した用語を使用して説明する。そういう場合には、該当部分の詳細説明においてその意味を明確に記載するので、本発明の説明において使用された用語の名称だけで単純に解釈してはならず、その該当用語の意味まで把握して解釈しなければならないことを明らかにする。
【００２４】
図１は、本発明が適用される実施形態であって、セキュリティーの適用された高画質コンテンツサービスを利用するためのシステムを説明するための図である。
【００２５】
本発明が適用されるシステムは、大きくセキュリティーの適用された高画質コンテンツを購買して使用するユーザ１００、前記コンテンツを再生できる再生装置（ｐｌａｙｂａｃｋ  ｄｅｖｉｃｅ）２００−１、２００−２、２００−３、前記コンテンツが格納されたまたは格納可能な格納装置（ｓｔｏｒａｇｅ  ｄｅｖｉｃｅ）３００、前記コンテンツを提供するコンテンツ提供者（ｃｏｎｔｅｎｔ  ｐｒｏｖｉｄｅｒ）４００、前記コンテンツの供給を受けてユーザに提供する小売り業者（ｒｅｔａｉｌｅｒ）５００及び／または電子キオスク（ｅｌｅｃｔｒｏｎｉｃ  ｋｉｏｓｋ）７００、及び前記コンテンツのダウンロードのために前記コンテンツを格納しているダウンロードサーバ６００を備えることができる。また、前記システムは、前記再生装置の動作を制御するための外部インタフェース８００、例えばリモコン（ｒｅｍｏｔｅ  ｃｏｎｔｒｏｌｌｅｒ）をさらに備えることができる。
【００２６】
本発明が適用される実施形態として、セキュリティーの適用された高画質コンテンツサービスを利用しようとするユーザは、多様な方法により前記サービスを利用できる。
【００２７】
第１の例として、ユーザ１００は、前記セキュリティーの適用された高画質コンテンツが既に格納されている格納装置を購買することによって、前記サービスを利用できる。例えば、前記コンテンツ提供者４００は、提供しようとするコンテンツをＨＤＤ、ＳＳＤのような携帯用ハードドライブまたはＵＳＢフラッシュドライブ、ＳＤカードのようなフラッシュメモリ製品などに予め組み込まれて（ｐｒｅｌｏａｄｅｄ）販売でき、前記ユーザ１００は、所望のコンテンツを格納している前記格納装置を購買することによって、前記サービスを利用できる。
【００２８】
第２の例として、ユーザ１００は、前記セキュリティーの適用された高画質コンテンツサービスを提供する小売り業者５００からコンテンツを購買することによって、前記サービスを利用できる。例えば、前記小売り業者５００は、前記コンテンツ提供者４００からコンテンツの提供を受けて、これをオンライン上またはオフライン上においてコンテンツサービスを提供でき、前記ユーザ１００は、前記小売り業者５００からコンテンツを適法に購買することによって、前記サービスを利用できる。また、前記ユーザ１００は、前記小売り業者５００から前記格納装置を購買することによって、前記サービスを利用することができる。
【００２９】
第３の例として、ユーザ１００は、前記セキュリティーの適用された高画質コンテンツサービスを提供する電子キオスク７００からコンテンツを購買することによって、前記サービスを利用できる。例えば、前記ユーザ１００は、セキュリティーの適用された高画質コンテンツを格納することができる格納装置３００を前記電子キオスク７００にプラグインし、必要な認証手順及び購買手続きを経て前記コンテンツを前記格納装置３００にダウンロードすることができる。このとき、前記電子キオスク７００は、前記コンテンツ提供者４００または前記小売り業者５００のコンテンツサーバと有・無線通信を介して接続されることができる。例えば、前記コンテンツサーバは、前記ダウンロードサーバ６００でありうる。
【００３０】
第４の例として、ユーザ１００は、前記コンテンツ提供者４００のダウンロードサーバ８００に直接接続してコンテンツを購買することによって、前記サービスを利用できる。前記ダウンロードサーバは、前記コンテンツ提供者４００によりオンライン上において運営できる。
【００３１】
第５の例として、ユーザ１００は、セキュリティーの適用された高画質コンテンツを格納している格納装置３００を再生装置２００−１に挿入することによって、前記コンテンツを再生できる。例えば、前記再生装置は、スマートフォン、スマートＴＶなどマルチメディアコンテンツを再生できるすべての機器がなることができる。
【００３２】
第６の例として、ユーザ１００は、セキュリティーの適用された高画質コンテンツが格納されたまたは格納可能な格納装置３００を第１再生装置２００−１に挿入し、前記コンテンツを第２再生装置２００−２で再生できる。このとき、前記第１再生装置２００−１と前記第２再生装置２００−２とは、ネットワークで接続されうる。また、前記第２再生装置２００−２でのコンテンツ再生は、外部インタフェース（例えば、リモコン８００等）またはユーザインタフェース（例えば、タッチスクリーン、音声、ジェスチャー等）を介して可能でありうる。
【００３３】
第７の例として、ユーザ１００は、セキュリティーの適用された高画質コンテンツを格納することができる格納装置３００を再生装置２００−３に挿入し、前記コンテンツを外部コンテンツサーバからダウンロードすることによって、前記コンテンツを再生できる。このとき、前記コンテンツは、前記格納装置３００に格納されることができ、前記外部コンテンツサーバは、前記コンテンツ提供者４００または前記小売り業者５００のコンテンツサーバでありうる。
【００３４】
第８の例として、ユーザ１００は、セキュリティーの適用された高画質コンテンツが格納されたまたは格納可能な格納装置３００を車両用ＡＶ（Ａｕｄｉｏ  ａｎｄ  Ｖｉｓｕａｌ）システムに挿入し、前記コンテンツを別の電子機器で再生できる。このとき、前記車両用ＡＶシステムと前記別の電子機器とは、有無線通信を介してデータを送受信できる。
【００３５】
一方、前記セキュリティーの適用された高画質コンテンツを再生するために、特定アプリケーションが必要となることができる。本明細書において言及する前記特定アプリケーションは、セキュリティーの適用された高画質コンテンツを再生するためのソフトウェアプログラムを意味できる。例えば、前記特定アプリケーションは、ＨＤＤ、ＳＳＤのような携帯用ハードドライブ及びＵＳＢフラッシュドライブ、ＳＤカードのようなフラッシュメモリ製品などに格納されたまたは格納可能な複製防止高画質コンテンツを再生できるソフトウェアプログラムを意味できる。
【００３６】
特に、前記セキュリティーの適用された高画質コンテンツを再生できない再生装置の場合、前記コンテンツを再生するために、前記特定アプリケーションのインストールが必須でありうる。
【００３７】
図２は、本発明が適用される実施形態であって、セキュリティーの適用された高画質コンテンツを再生する再生装置の概略的な内部ブロック図を示す。
【００３８】
前記再生装置２００は、大きく通信部２１０、ユーザインタフェース２２０、外部入出力端子２３０、出力部２４０、エンコーダ／デコーダ２５０、メモリ２６０、認証部２７０、電源部２８０及び制御部２９０を備えることができる。前記通信部２１０は、受信部２１１及び転送部２１２を有することができ、前記出力部２４０は、ディスプレイ部２４１及びスピーカー２４２を有することができる。
【００３９】
前記通信部２１０は、前記再生装置２００とコンテンツサーバまたは前記再生装置２００とネットワークで接続した他の電子機器間の有無線通信を可能にする一つ以上のモジュールを有することができる。例えば、前記受信部２１１は、チャネルを介して前記コンテンツサーバまたは前記他の電子機器から転送される信号を受信することができる。ここで、前記信号は、セキュリティーの適用された高画質コンテンツデータを含むことができる。前記転送部２１２は、前記セキュリティーの適用された高画質コンテンツデータをダウンロードまたはストリーミングするために必要な情報を前記コンテンツサーバまたは前記他の電子機器に転送できる。例えば、前記セキュリティーの適用された高画質コンテンツデータをダウンロードまたはストリーミングするために必要な情報は、前記再生装置及び／または格納装置の識別情報、ライセンス情報、レベル情報及び認証情報のうち、少なくとも一つを含むことができる。
【００４０】
前記ユーザインタフェース２２０は、ユーザからの入力情報を前記再生装置２００に伝達する機能を果たす。例えば、前記セキュリティーの適用された高画質コンテンツの再生を制御したり、購買または認証手順に必要な情報を入力したり、または他の電子機器での再生のために設定しようとするとき、前記ユーザインタフェース２２０が利用されることができる。前記ユーザインタフェース２２０は、タッチスクリーン部（図示せず）、音声認識部（図示せず）、またはジェスチャー認識部（図示せず）を有することができ、リモコンのような別の外部装置でありうる。
【００４１】
前記外部入出力端子２３０は、前記再生装置２００に接続する外部機器との通路として機能する。前記外部入出力端子２３０は、外部機器からデータを受信したり電源の供給を受けて、前記再生装置２００の内部の各構成要素に伝達したり、前記再生装置２００の内部のデータが外部機器に転送されるようにする。例えば、前記外部入出力端子２３０は、前記格納装置３００との接続のための接続端子を表すことができ、具体的な例として、ＵＳＢポート、ＨＤＭＩポート、有・無線ヘッドセットポート、外部充電器ポート、有・無線データポート、メモリカードポート、オーディオＩ／Ｏ（Ｉｎｐｕｔ／Ｏｕｔｐｕｔ）ポート、ビデオＩ／Ｏ（Ｉｎｐｕｔ／Ｏｕｔｐｕｔ）ポート、イヤホンポートのうち、少なくとも一つを含むことができる。前記外部入出力端子２３０を介して前記格納装置３００と前記再生装置２００との通信がなされることができる。
【００４２】
前記出力部２４０は、視覚、聴覚などと関連した出力を発生させるためのものであって、ディスプレイ部２４１、スピーカー２４２を有することができる。
【００４３】
前記ディスプレイ部２４１は、前記再生装置２００で処理される視覚情報を出力できる。例えば、セキュリティーの適用された高画質コンテンツを出力したり、前記格納装置３００がプラグインされたことを知らせる情報を出力したり、コンテンツを購買または認証する過程において必要な情報を出力できる。前記ディスプレイ部２４１は、液晶ディスプレイ、薄膜トランジスタ液晶ディスプレイ、有機発光ダイオード、フレキシブルディスプレイ、３次元ディスプレイのうち、少なくとも一つを有することができる。
【００４４】
前記スピーカー２４２は、前記再生装置２００で処理される聴覚情報を出力できる。例えば、コンテンツのオーディオ情報を出力したり、前記コンテンツの再生のために必要な情報を音声情報として出力できる。
【００４５】
前記エンコーダ／デコーダ２５０は、前記セキュリティーの適用された高画質コンテンツをディスプレイするためにデコードするか、または前記再生装置２００から入力された映像信号やオーディオ信号をエンコードするために利用されることができる。
【００４６】
前記メモリ２６０は、前記制御部２９０の動作のためのプログラムを格納することができ、入／出力されるデータを一時格納することができる。例えば、前記セキュリティーの適用された高画質コンテンツを再生するための特定アプリケーションを格納することができ、前記再生装置２００の識別情報、プロファイル情報、レベル情報、認証情報及び前記コンテンツのメタデータなどを格納することができる。
【００４７】
前記メモリ２６０は、フラッシュメモリタイプ、ハードディスクタイプ、マルチメディアカードマイクロタイプ、カードタイプのメモリ（例えば、ＳＤまたはＸＤメモリ等）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  Ｒｅａｄ  Ｏｎｌｙ  Ｍｅｍｏｒｙ）磁気メモリ、磁気ディスク、光ディスクのうち、少なくとも一つのタイプの格納媒体を有することができる。また、前記再生装置２００は、インターネット上において前記メモリ２６０の格納機能を行うウェブストレージ（ｗｅｂ  ｓｔｏｒａｇｅ）と関連して動作することもできる。
【００４８】
前記認証部２７０は、暗号化されたコンテンツを再生するために解読できる。このとき、前記認証部２７０は、キー情報に対する応答確認過程を行うことができ、格納装置または再生装置の権限情報（ｃｅｒｔｉｆｉｃａｔｅ  ｉｎｆｏｒｍａｔｉｏｎ）を送受信できる。
【００４９】
前記電源部２８０は、前記制御部２９０の制御により外部の電源及び／または内部の電源を受け取って、各構成要素の動作に必要な電源を供給する。
【００５０】
前記制御部２９０は、前記再生装置２００の全般的な動作を制御する。例えば、前記制御部２９０は、前記格納装置３００の接続を探知したり、前記探知された格納装置から認証情報（ｓｔｏｒａｇｅ  ｄｅｖｉｃｅ  ｃｅｒｔｉｆｉｃａｔｅ）を受信したり、または前記受信された認証情報をサーバに転送する動作を制御できる。また、前記制御部２９０は、前記認証情報に基づいて前記サーバから暗号化されたメディアファイル及び認証リスト（ＣＲＬ，Ｃｅｒｔｉｆｉｃａｔｅ  Ｒｅｖｉｓｉｏｎ  Ｌｉｓｔ）を受信したり、前記暗号化されたメディアファイルを前記格納装置に格納したり、前記認証リストをアップデートしたり、または前記アップデートされた認証リストに基づいて前記暗号化されたメディアファイルを再生する動作を制御できる。
【００５１】
図３は、本発明が適用される実施形態であって、セキュリティーの適用された高画質コンテンツを格納することができる格納装置の概略的な内部ブロック図を示す。
【００５２】
本発明が適用される前記格納装置３００は、大きくインタフェース３１０、ファイルシステム３３０及びセキュリティー情報管理部３５０を有することができる。前記ファイルシステム３３０は、データ格納部３３１及びアップデート部３３３を有することができ、前記セキュリティー情報管理部３５０は、制御部３５１、解読部３５３及び格納部３５５を有することができる。
【００５３】
前記インタフェース３１０は、前記格納装置３００と接続する外部機器との通路として機能する。例えば、前記格納装置３００が再生装置にプラグインされた場合、前記格納装置３００は、前記インタフェース３１０を介して前記再生装置からデータを受信するか、または前記格納装置３００の内部のデータを前記再生装置に転送する。
【００５４】
前記データ格納部３３１は、暗号化されたマルチメディアコンテンツデータ、前記暗号化されたマルチメディアコンテンツデータを再生するために必要なライセンス情報と暗号情報、及び最新認証リスト（ＣＲＬ、Ｃｅｒｔｉｆｉｃａｔｅ  Ｒｅｖｉｓｉｏｎ  Ｌｉｓｔ）を格納することができる。
【００５５】
前記アップデート部３３３は、最新認証リストを受信して、予め格納された認証リストと同期化させることによって、アップデートを行うことができる。このとき、前記最新認証リストは、再生装置または外部サーバから受信されることができる。
【００５６】
前記セキュリティー情報管理部３５０は、再生装置を介してライセンスサーバに接続することができ、コンテンツ再生のために必要なライセンス情報、暗号情報及び認証リストに対して前記ライセンスサーバと相互応答過程（ｈａｎｄｓｈａｋｅ  ｐｒｏｃｅｓｓ）を行うことができる。前記セキュリティー情報管理部３５０内の前記制御部３５１は、前記のような過程を制御でき、前記解読部３５３は、前記ライセンス情報または前記暗号情報を解読できる。そして、前記格納部３５５は、前記ライセンス情報及び／または前記暗号情報を格納することができ、前記格納部３５５は、前記格納装置３００内のセキュリティー領域でありうる。
【００５７】
図４は、本発明が適用される実施形態であって、格納装置に格納されているセキュリティーの適用された高画質コンテンツを再生する過程を説明するためのフローチャートである。
【００５８】
本実施形態は、セキュリティーの適用された高画質コンテンツが格納された格納装置３００を再生装置２００にプラグインしたときにおける前記セキュリティーの適用された高画質コンテンツが再生される過程を示す。
【００５９】
まず、入力装置１００を介して前記再生装置２００の電源がオンになり（Ｓ４１０）前記格納装置３００が前記再生装置２００にプラグインされると、前記再生装置２００は、自動的にプラグインされた装置を探索するようになり、探索の結果、前記格納装置３００を確認することができる（Ｓ４２０）。ここで、前記入力装置１００は、リモコンのような別の外部装置でありえ、ユーザインタフェースのようなタッチスクリーン、音声認識部、またはジェスチャー認識部を有することができる。
【００６０】
前記再生装置２００が前記格納装置３００のプラグインを確認するようになると、前記再生装置２００は、前記格納装置３００がプラグインされたことを表すお知らせ情報をディスプレイし、これは、ポップアップメッセージの形態で出力されることができる（Ｓ４３０）。前記再生装置２００は、前記格納装置３００内に含まれたコンテンツ目録をディスプレイし、前記入力装置１００との通信（メディアブラウズ）を介して再生するコンテンツが選択される（Ｓ４４０）。
【００６１】
再生するコンテンツが選択された後、前記入力装置１００の再生開始要求により（Ｓ４５０）、前記再生装置２００は、前記選択されたコンテンツを再生するようになる（Ｓ４６０）。
【００６２】
図５は、本発明が適用される実施形態であって、セキュリティーの適用された高画質コンテンツを再生するための認証手順を説明するフローチャートである。
【００６３】
セキュリティーの適用された高画質コンテンツを再生するために、再生装置２００は、認証リスト、暗号情報、デバイス識別情報、デバイス認証情報、格納装置認証情報及び格納装置識別情報のうち、少なくとも一つを利用できる。
【００６４】
まず、セキュリティーの適用された高画質コンテンツが格納された格納装置３００が再生装置２００にプラグインされたとき、前記再生装置２００は、前記格納装置３００に前記格納装置３００のデバイス認証情報を要求できる（Ｓ５１０）。前記格納装置３００は、前記再生装置２００から前記デバイス認証情報の要求を受信した場合、前記デバイス認証情報を前記再生装置２００に転送し（Ｓ５２０）、前記再生装置２００は、ダウンロードサーバ６００に前記デバイス認証情報を転送するようになる（Ｓ５３０）。ここで、前記ダウンロードサーバ６００は、コンテンツファイルを格納しているサーバを示し、前記ダウンロードサーバ６００は、コンテンツ認証、格納装置認証または再生装置認証などを行う認証サーバ（図示せず）を有することができる。
【００６５】
前記ダウンロードサーバ６００は、前記格納装置３００のデバイス認証情報を受信して、有効であるかどうかを判断できる。例えば、前記格納装置３００のデバイス認証情報が前記ダウンロードサーバ６００で管理しているデバイス認証情報のうちのいずれか一つと同じであるかどうかを確認することによって行うことができる。前記判断の結果、前記格納装置３００のデバイス認証情報が有効でない場合、前記再生装置２００は、前記セキュリティーの適用された高画質コンテンツを再生できなくなる。
【００６６】
これに対し、前記判断の結果、前記格納装置３００のデバイス認証情報が有効な場合、前記ダウンロードサーバ６００は、前記再生装置２００に暗号化されたコンテンツファイルを転送し（Ｓ５４０）、前記再生装置２００は、前記格納装置３００に前記暗号化されたコンテンツファイルを転送するようになる（Ｓ５５０）。
【００６７】
前記格納装置３００は、前記暗号化されたコンテンツファイルを格納することができ、このとき、前記受信された暗号化されたコンテンツファイルは、前記格納装置３００内のファイルシステム内に格納することができる（Ｓ５６０）。
【００６８】
前記暗号化されたコンテンツファイルは、コンテンツレベル情報を含むことができ、前記コンテンツレベル情報は、カテゴリー化されたコンテンツ属性情報を表す。本発明が適用されるシステムにおいて提供されるコンテンツファイルは、前記コンテンツレベル情報に応じて他のプロファイルで提供することができる。例えば、コンテンツレベル情報が「Ｌｅｖｅｌ  １」を表す場合、該当コンテンツは、ＳＤ（Ｓｔａｎｄａｒｄ  Ｄｅｆｉｎｉｔｉｏｎ）プロファイルに対応でき、「Ｌｅｖｅｌ  ２」を表す場合、該当コンテンツは、ＨＤ（Ｈｉｇｈ  Ｄｅｆｉｎｉｔｉｏｎ）プロファイルに対応でき、「Ｌｅｖｅｌ  ３」を表す場合、該当コンテンツは、ＱＨＤ（Ｑｕａｄ  Ｈｉｇｈ  Ｄｅｆｉｎｉｔｉｏｎ）プロファイルに対応できる。
【００６９】
また、前記再生装置２００も装置の能力（ｃａｐａｂｉｌｉｔｙ）に応じて多様なレベルで提供することができる。例えば、装置レベル情報が「Ｌｅｖｅｌ  １」を表す場合、該当再生装置は、前記コンテンツレベル情報「Ｌｅｖｅｌ  １」に対応するコンテンツを再生でき、「Ｌｅｖｅｌ  ２」を表す場合、該当再生装置は、前記コンテンツレベル情報「Ｌｅｖｅｌ  １」及び「Ｌｅｖｅｌ  ２」に対応するコンテンツを再生でき、「Ｌｅｖｅｌ  ３」を表す場合、該当再生装置は、すべてのコンテンツレベル情報に対応するコンテンツを再生できる。
【００７０】
一方、前記ダウンロードサーバ６００は、前記暗号化されたコンテンツファイルの転送と共に、前記再生装置２００に最新認証リストを転送し（Ｓ５７０）、前記再生装置２００は、前記格納装置３００に前記最新認証リストを転送するようになる。前記格納装置３００は、前記最新認証リストを受信して予め格納している認証リストと同期化することによって、前記認証リストをアップデートできる（Ｓ５８０）。ここで、認証リストとは、セキュリティーの適用された高画質コンテンツを再生するために必要な認証情報の目録を表し、例えば、前記認証リストは、コンテンツタイトル認証リスト、格納装置認証リスト、再生装置認証リスト及びライセンス認証リストのうち、少なくとも一つを含むことができる。前記認証リストは、再生装置、格納装置及びサーバのうち、少なくとも一つに対する適格性を認証するために利用することができ、前記格納装置のセキュリティー領域に格納することができる。
【００７１】
上記の通りに、前記格納装置３００内の認証リストがアップデートされることによって、前記格納装置３００と前記再生装置２００との間または前記格納装置３００と前記ダウンロードサーバ６００との間のセキュリティーセッションを生成することができ、前記セキュリティーセッションを介してライセンスキーのようなセキュリティー情報を送受信することができる。
【００７２】
したがって、前記認証リストのアップデートに基づいて、前記再生装置２００は、前記格納装置３００内に格納されている暗号化されたコンテンツファイルを再生できるようになる。前記暗号化されたコンテンツファイルは、前記再生装置２００に設置された特定アプリケーションに基づいて再生することができる。
【００７３】
図６は、本発明が適用される実施形態であって、格納装置間にセキュリティーの適用された高画質コンテンツを複写する過程を説明するためのフローチャートである。
【００７４】
前記セキュリティーの適用された高画質コンテンツは、一つの格納装置から他の格納装置に複写または移動することができる。このとき、サーバが有効な複写または移動のための権限を付与できる。
【００７５】
まず、格納メディア１がリテーラー１からセキュリティーの適用された高画質コンテンツを購買すると（Ｓ６１０）、前記リテーラー１は、サーバにコンテンツ購買の内容を報告できる。前記サーバは、前記リテーラー１に前記コンテンツ購買に対して有効なライセンスを提供し、前記サーバ内に格納された認証リストをアップデートできる（Ｓ６１１）。ここで、前記認証リストは、コンテンツタイトル認証リスト、格納装置認証リスト、再生装置認証リスト及びライセンス認証リストのうち、少なくとも一つを含むことができる。
【００７６】
そして、前記リテーラー１は、前記格納メディア１に前記コンテンツ購買に対して有効なライセンスを提供し、前記リテーラー１内に格納された認証リストをアップデートできる（Ｓ６１２）。
【００７７】
他の実施形態として、格納メディア１で適法に購買したコンテンツを再生装置を利用して格納メディア２に複写しようとする場合（Ｓ６２０）、サーバでは、前記格納メディア２で前記コンテンツを再生する権限があるかまたは前記コンテンツが複写できるかどうかを確認することができる（Ｓ６２１）。確認結果、前記格納メディア２で前記コンテンツを再生する権限があるか、または前記コンテンツが複写できる場合、前記格納メディア２のコンテンツ複写は行われ、前記サーバは、前記格納メディア２に前記コンテンツを再生できるライセンス情報を付与できる（Ｓ６２２）。このとき、前記格納メディア２は、前記コンテンツを再生できる能力を持っていなければならない。
【００７８】
他の実施形態として、前記格納メディア２で前記コンテンツを他の再生装置を利用して前記格納メディア３に有効でない複写（ｕｎｌｉｃｅｎｓｅｄ  ｃｏｐｙ）を行おうとする場合（Ｓ６２０）、前記コンテンツのデータファイルだけが前記格納メディア２から前記格納メディア３に複写されるだけで、前記サーバを介した認証手順は行われない（Ｓ６３０）。
【００７９】
さらに他の実施形態として、前記格納メディア３で前記コンテンツを再生しようとする場合、前記格納メディア３は、前記サーバに前記コンテンツを再生するための権限付与を要求でき（Ｓ６４１)、それにより前記サーバは、前記格納メディア３にコンテンツ再生権限を付与できる（Ｓ６４２）。
【００８０】
しかしながら、前記コンテンツ再生権限がすべて消尽した場合、前記格納メディア３は、前記リテーラー２から新しくコンテンツを購買しなければならない（Ｓ６５０）。前記リテーラー２を介した新しいコンテンツ購買が完了すると、前記リテーラー２は、前記サーバに新しい購買情報を転送し、前記サーバは、前記新しい購買情報に基づいて前記サーバ内に格納された認証リストをアップデートできる（Ｓ６５１）。そして、前記リテーラー２は、前記格納メディア３に前記コンテンツ購買に対して有効なライセンスを提供し、前記リテーラー２内に格納された認証リストをアップデートできる（Ｓ６５２）。
【００８１】
図７は、本発明が適用される実施形態であって、格納装置間にセキュリティーの適用された高画質コンテンツを移動する過程を説明するためのフローチャートである。
【００８２】
前記セキュリティーの適用された高画質コンテンツは、一つの格納装置から他の格納装置に移動することができる。ここで、移動とは、アクティブになったライセンスを持っている目的地格納メディアにコンテンツファイルが伝達されることを意味しうる。前記移動は、前記セキュリティーの適用された高画質コンテンツを再生できる能力を揃えている再生装置により行われることができる。上記の目的地格納メディアは、前記セキュリティーの適用された高画質コンテンツを格納することができなければならない。このとき、サーバが有効な移動のための権限を付与できる。
【００８３】
まず、格納メディア１がリテーラー１からセキュリティーの適用された高画質コンテンツを購買すると（Ｓ７１０）、前記リテーラー１は、サーバにコンテンツ購買の内容を報告できる。前記サーバは、前記リテーラー１に前記コンテンツ購買に対して有効なライセンスを提供し、前記サーバ内に格納された認証リストをアップデートできる（Ｓ７１１）。ここで、前記認証リストは、コンテンツタイトル認証リスト、格納装置認証リスト、再生装置認証リスト及びライセンス認証リストのうち、少なくとも一つを含むことができる。
【００８４】
そして、前記リテーラー１は、前記格納メディア１に前記コンテンツ購買に対して有効なライセンスを提供し、前記リテーラー１内に格納された認証リストをアップデートできる（Ｓ７１２）。
【００８５】
他の実施形態として、格納メディア１で適法に購買したコンテンツを再生装置を利用して格納メディア２に移動しようとする場合（Ｓ７２０）、サーバでは、前記格納メディア２で前記コンテンツを再生する権限があるのか、または前記コンテンツを移動することができるかどうかを確認することができる（Ｓ７２１）。確認結果、前記格納メディア２で前記コンテンツを再生する権限があるか、または前記コンテンツが移動されることができる場合、前記格納メディア２のコンテンツ移動は行われ、前記サーバは、前記格納メディア１に付与されたライセンスを非アクティブにし（Ｓ７２２）、前記格納メディア２に前記コンテンツを再生できる新しいライセンス情報を付与できる（Ｓ７２３）。
【００８６】
他の実施形態として、前記格納メディア２で前記コンテンツを他の再生装置を利用して前記格納メディア３に有効でない移動（ｕｎｌｉｃｅｎｓｅｄ  ｍｏｖｅ）をしようとする場合（Ｓ７３０）、前記コンテンツのデータファイルだけが前記格納メディア２から前記格納メディア３に移動するだけで、前記サーバを介した認証手順は行われない。
【００８７】
さらに他の実施形態として、前記格納メディア３で前記コンテンツを再生しようとする場合、前記格納メディア３は、前記サーバに前記コンテンツを再生するための権限付与を要求できる（Ｓ７４０）。それにより、前記サーバは、前記格納メディア２に付与されたライセンスを非アクティブにし（Ｓ７４１)、前記格納メディア３に前記コンテンツを再生できる新しいライセンス情報を付与できる（Ｓ７４２）。
【００８８】
図８は、本発明が適用される実施形態であって、セキュリティーの適用された高画質コンテンツのプロファイル情報を示す。
【００８９】
本発明が適用されるコンテンツ再生装置は、前記図８に示されたコンテンツプロファイル情報に基づいて、セキュリティーの適用された高画質コンテンツを再生できる。
【００９０】
例えば、前記コンテンツプロファイル情報は、コンテンツタイプ（ｃｏｎｔｅｎｔ  ｔｙｐｅ）情報、政策リスト（ｐｏｌｉｃｙ  ｌｉｓｔ）情報、管理小売り業者（ｍａｎａｇｉｎｇ  ｒｅｔａｉｌｅｒ）情報、管理小売り業者のアドレス情報、資源状態（ｒｅｓｏｕｒｃｅ  ｓｔａｔｕｓ）情報、コンテンツアップデートアドレス情報、第２再生装置情報、外部インタフェース情報、広告情報などを含むことができる。
【００９１】
前記コンテンツタイプ情報は、コンテンツを識別するためのコンテンツ識別子、コンテンツプロファイルを識別するためのコンテンツプロファイル識別子を含む。前記政策リスト情報は、コンテンツとデバイスの政策を表し、具体的には下記の表１の通りである。
【００９２】
【表１】
2016503605.tif 000003
【００９３】
前記管理小売り業者（ｍａｎａｇｉｎｇ  ｒｅｔａｉｌｅｒ）情報は、コンテンツを生産した小売り業者の識別情報を表し、管理小売り業者のアドレス情報は、管理小売り業者がサービスを提供する位置情報を表す。そして、資源状態（ｒｅｓｏｕｒｃｅｓ  ｔａｔｕｓ）情報は、資源の状態を表し、コンテンツアップデートアドレス情報は、追加的なコンテンツを提供できる位置情報を表し、第２再生装置情報は、コンテンツを再生できるさらに他の再生装置の識別情報を表す。また、外部インタフェース情報は、コンテンツ再生や他の動作を制御するためのリモコン情報を表し、広告情報は、コンテンツと共に提供されている広告情報を表す。
【００９４】
図９は、本発明が適用される実施形態であって、ディスクに格納されたセキュリティーの適用された高画質コンテンツをキオスクを介してＵＳＢ装置にダウンロードする過程を説明するための図である。
【００９５】
ユーザは、ディスクに格納されたセキュリティーの適用された高画質コンテンツを自身が所有しているＵＳＢ装置にダウンロード、移動または複写できる。このとき、ユーザは、電子キオスクを利用してコンテンツダウンロード、移動または複写できる。
【００９６】
例えば、図９を述べると、コンテンツ提供者４００は、セキュリティーの適用された高画質コンテンツをダウンロードサーバ６００に提供でき、前記ダウンロードサーバ６００は、前記コンテンツ提供者４００から提供された多様なコンテンツを格納することができる。
【００９７】
ユーザは、セキュリティーの適用された高画質コンテンツが格納されているＢＤ／ＤＶＤディスク８００、及び前記コンテンツを格納する格納装置３００を前記電子キオスクに挿入できる。前記電子キオスクは、前記ＢＤ／ＤＶＤディスク８００と前記格納装置３００との接続を探知すると、ＢＤ／ＤＶＤディスク８００、格納装置３００及び前記ＢＤ／ＤＶＤディスク８００に格納されたコンテンツのうち、少なくとも一つを識別できる。そして、識別されたＢＤ／ＤＶＤディスク８００、格納装置３００及び／またはコンテンツに対して、小売り業者に認証を要求できる。すなわち、前記小売り業者は、前記識別されたＢＤ／ＤＶＤディスク８００または格納装置３００がコンテンツダウンロード可能な装置なのか、または前記識別されたコンテンツが移動または複写が可能なコンテンツなのかなどを確認することができる。
【００９８】
前記確認の結果、前記識別されたＢＤ／ＤＶＤディスク８００または格納装置３００がコンテンツダウンロード可能な装置であるか、または前記識別されたコンテンツが移動または複写が可能なコンテンツである場合、前記小売り業者は、前記電子キオスクに認証確認の内容を転送するようになる。そして、ユーザは、該当コンテンツを前記ＢＤ／ＤＶＤディスク８００からダウンロード、移動または複写を行うようになる。
【００９９】
しかしながら、前記確認の結果、そうでない場合、前記小売り業者は、前記電子キオスクに認証不許可の内容を転送するようになり、ユーザは、該当コンテンツをダウンロードできなくなる。このような場合、前記電子キオスクに該当コンテンツと同じコンテンツを購買するように、選択メニューをディスプレイできる。前記小売り業者は、購買決済処理が完了すると、購買確認の内容を前記ダウンロードサーバ６００に転送し、前記ダウンロードサーバ６００は、前記電子キオスクに前記コンテンツを転送するようになる。そして、ユーザは、該当コンテンツを前記格納装置３００にダウンロードできるようになる。
【０１００】
図１０は、本発明が適用される実施形態であって、ディスクに格納されたセキュリティーの適用された高画質コンテンツをディスクプレーヤーを介してＵＳＢ装置にダウンロードする過程を説明するため図である。
【０１０１】
前記図９と同様に、ユーザは、ディスクに格納されたセキュリティーの適用された高画質コンテンツを、ディスクプレーヤーを利用してコンテンツダウンロード、移動または複写できる。
【０１０２】
例えば、図１０を述べると、コンテンツ提供者４００は、セキュリティーの適用された高画質コンテンツをダウンロードサーバ６００に提供でき、前記ダウンロードサーバ６００は、前記コンテンツ提供者４００から提供された多様なコンテンツを格納することができる。
【０１０３】
ユーザは、セキュリティーの適用された高画質コンテンツが格納されているＢＤ／ＤＶＤディスク８００、及び前記コンテンツを格納する格納装置３００を前記ディスクプレーヤーに挿入できる。前記ディスクプレーヤーは、前記ＢＤ／ＤＶＤディスク８００と前記格納装置３００との接続を探知すると、ＢＤ／ＤＶＤディスク８００、格納装置３００及び前記ＢＤ／ＤＶＤディスク８００に格納されたコンテンツのうち、少なくとも一つを識別できる。そして、識別されたＢＤ／ＤＶＤディスク８００、格納装置３００及び／またはコンテンツに対して小売り業者に認証要求ができる。すなわち、前記小売り業者は、前記識別されたＢＤ／ＤＶＤディスク８００または格納装置３００がコンテンツダウンロード可能な装置なのか、または前記識別されたコンテンツが移動または複写が可能なコンテンツなのかなどを確認することができる。
【０１０４】
前記確認の結果、前記識別されたＢＤ／ＤＶＤディスク８００または格納装置３００がコンテンツダウンロード可能な装置であるか、または前記識別されたコンテンツが移動または複写が可能なコンテンツである場合、前記小売り業者は、前記ディスクプレーヤーに認証確認の内容を転送するようになる。そして、ユーザは、該当コンテンツを前記ＢＤ／ＤＶＤディスク８００からダウンロード、移動または複写を行うようになる。
【０１０５】
しかしながら、前記確認の結果、そうでない場合、前記小売り業者は、前記ディスクプレーヤーに認証不許可の内容を転送するようになり、ユーザは、該当コンテンツをダウンロードできなくなる。このような場合、前記ディスクプレーヤーに該当コンテンツと同じコンテンツを購買するように、選択メニューをディスプレイできる。前記小売り業者は、購買決済処理が完了すると、購買確認の内容を前記ダウンロードサーバ６００に転送し、前記ダウンロードサーバ６００は、前記ディスクプレーヤーに前記コンテンツを転送するようになる。そして、ユーザは、該当コンテンツを前記格納装置３００にダウンロードできるようになる。
【０１０６】
図１１は、本発明が適用される実施形態であって、特定アプリケーションを介して格納装置に格納されているセキュリティーの適用された高画質コンテンツを再生する過程を説明するためのフローチャートである。
【０１０７】
まず、再生装置は、ユーザインタフェースを介して特定アプリケーションの実行要求を受信することができる（Ｓ１１０１）。前記特定アプリケーションは、セキュリティーの適用された高画質コンテンツを再生するためのソフトウェアプログラムを意味することができ、前記セキュリティーの適用された高画質コンテンツを再生できない再生装置の場合、前記コンテンツを再生するために、前記特定アプリケーションのインストールが必須でありうる。
【０１０８】
前記特定アプリケーションの実行要求を受信した場合、前記再生装置は、前記特定アプリケーションにより再生可能なコンテンツリストを出力できる（Ｓ１１０３）。前記コンテンツリストが前記再生装置の画面上に出力されると、ユーザは、前記コンテンツリストのうち、再生しようとするコンテンツを選択できる。前記再生装置は、ユーザインタフェースを介してコンテンツ選択信号を受信した場合（Ｓ１１０７）、コンテンツダウンロードを行うかを問い合わせするメッセージを出力できる（Ｓ１１０９）。
【０１０９】
これにより、ユーザが購買決定をする場合、前記再生装置は、ユーザインタフェースを介してコンテンツ購買要求信号を受信するようになる（Ｓ１１１１）。前記購買要求信号を受信した場合、前記再生装置は、前記購買したコンテンツを格納するための格納装置をプラグインすることを要求するメッセージを出力でき、前記格納装置がプラグインされた場合、前記再生装置は、前記格納装置のプラグインを確認することができる（Ｓ１１１３）。
【０１１０】
前記再生装置は、前記格納装置に認証確認を要求でき、前記格納装置は、それに対する応答として前記再生装置に認証確認メッセージを転送できる（Ｓ１１１５）。前記格納装置の認証確認後、前記再生装置は、コンテンツサーバにコンテンツダウンロードを要求でき（Ｓ１１１７）、前記コンテンツサーバからコンテンツをダウンロードするようになる（Ｓ１１１９）。前記ダウンロードされるコンテンツは前記格納装置に転送されて、前記格納装置に格納される（Ｓ１１２１）。
【０１１１】
したがって、前記再生装置は、前記格納装置に格納されたコンテンツを前記特定アプリケーションを利用して再生できるようになる。
【０１１２】
図１２は、本発明が適用される実施形態であって、格納装置に格納されているセキュリティーの適用された高画質コンテンツを再生できない場合、特定アプリケーションをダウンロードする過程を説明するためのフローチャートである。
【０１１３】
再生装置の電源がオフになっている状態で格納装置が前記再生装置にプラグインされると（Ｓ１２０１)、前記再生装置は、自動的に電源をオンにすることができる（Ｓ１２０３）。
【０１１４】
前記再生装置は、自動的にプラグインされた装置を探索するようになり、探索の結果、前記格納装置を確認することができる。前記再生装置が前記格納装置のプラグインを確認すると、前記再生装置は、前記格納装置に格納されているコンテンツが存在しているか否かを確認要求できる（Ｓ１２０５）。
【０１１５】
前記確認要求によって、前記格納装置にコンテンツが格納されている場合、前記再生装置は、前記コンテンツリストを出力できる（Ｓ１２０７）。ユーザにより前記コンテンツリストのうち、コンテンツが選択されたが、前記再生装置内に前記コンテンツを再生できるプログラムが存在しない場合、前記再生装置は、オンラインマーケットに接続できるようになる（Ｓ１２０９）。前記再生装置がオンラインマーケットに接続した場合、前記コンテンツ再生のための特定アプリケーションのインストールの有無を問い合わせるメッセージを出力することができる（Ｓ１２１１）。
【０１１６】
ユーザの選択により前記特定アプリケーションは、前記オンラインマーケットにダウンロードされて（Ｓ１２１３）、前記再生装置内にインストールされることができる（Ｓ１２１５）。
【０１１７】
前記再生装置は、前記設置された特定アプリケーションを利用して、前記格納装置に格納されたセキュリティーの適用された高画質コンテンツを再生できるようになる（Ｓ１２１７）。
【０１１８】
図１３ないし図１４は、本発明が適用される実施形態であって、第１再生装置で再生中であるセキュリティーの適用された高画質コンテンツを第２再生装置で再生する過程を説明するためのフローチャートである。
【０１１９】
図１３の（ａ）ないし（ｃ）を述べると、第１再生装置で再生中であるセキュリティーの適用された高画質コンテンツを第２再生装置で再生する過程を示している。
【０１２０】
まず、図１３の（ａ）は、セキュリティーの適用された高画質コンテンツを格納している格納装置３００が再生装置にプラグインされた状態で、ユーザは、外部インタフェース、例えばリモコン１３２０を利用して前記再生装置１３００に再生を要求することを示している。
【０１２１】
これと関連して、図１４を述べると、まず、前記格納装置３００が第１再生装置１３００にプラグインされると（Ｓ１４１０）、前記第１再生装置１３００は、自動的に電源がオンになることができる（Ｓ１４１３）。前記第１再生装置１３００は、電源がオンになった後、プラグインされた装置を探索するようになり、探索の結果、前記格納装置３００を確認することができる。このとき、前記第１再生装置１３００が前記格納装置３００のプラグインを確認するようになると、前記第１再生装置１３００は、前記格納装置３００がプラグインされたことを表すお知らせ情報をディスプレイし、これは、ポップアップメッセージの形態で出力されることができる。
【０１２２】
前記第１再生装置１３００は、前記格納装置３００内に含まれたコンテンツを検索し（Ｓ１４１５）、検索されたコンテンツのリストをディスプレイするようになる（Ｓ１４１７）。前記リストのうち、再生するコンテンツが選択された後、前記リモコン１３２０の再生開始要求により（Ｓ１４１９）、前記第１再生装置１３００は、前記格納装置３００から前記選択されたコンテンツをストリーミングするようになる（Ｓ１４２１）。このとき、前記リモコン１３２０は、前記第１再生装置１３００との通信により再生情報の設定が可能でありうる（Ｓ１４２３）。
【０１２３】
図１３の（ｂ）では、前記再生装置１３００（以下、第１再生装置という）でセキュリティーの適用された高画質コンテンツを再生している途中、ユーザが他の再生装置（以下、第２再生装置という）で前記セキュリティーの適用された高画質コンテンツを再生しようとする場合、接続可能な前記第２再生装置の目録を出力することを前記第１再生装置１３００に要求することを示す。前記第２再生装置の目録の出力は、前記リモコン１３２０により行われるか、前記第１再生装置１３００画面上の短縮ボタンをタッチすることによって行われるか、または前記第２再生装置１３１０の無線通信接続設定により自動的に行われることができる。
【０１２４】
これと関連して、図１４を述べると、ユーザは、多様な方法により前記第２再生装置の目録を出力することを前記第１再生装置１３００に要求できる（Ｓ１４２５）。前記第１再生装置１３００は、前記要求を受けた場合、前記第２再生装置の目録を出力できる（Ｓ１４２７）。ユーザは、前記リモコン１３２０を介して前記第２再生装置の目録から前記第２再生装置を選択できる（Ｓ１４２９）。このとき、前記第１再生装置１３００は、前記第２再生装置１３１０に前記第２再生装置１３１０の関連情報を要求できる（Ｓ１４３１）。前記第２再生装置１３１０の関連情報とは、第２再生装置１３１０のデバイス識別情報、複製防止情報及びプロファイル情報のうち、少なくとも一つを含むことができる。前記要求によって、前記第２再生装置１３１０は、前記第２再生装置１３１０の関連情報を前記第１再生装置１３００に転送できる（Ｓ１４３３）。
【０１２５】
前記第１再生装置１３００は、前記第２再生装置１３１０の関連情報に基づいて前記第２再生装置１３１０が有効に認証されたかどうかを確認することができる（Ｓ１４３５）。前記確認の結果、前記第２再生装置１３１０が有効に認証された場合、前記第２再生装置１３１０は、前記第１再生装置１３００から認コンテンツをストリーミングして再生するようになる（Ｓ１４３７）。
【０１２６】
図１３の（ｃ）では、前記リモコン１３２０を介して前記第１再生装置１３００及び／または第２再生装置１３１０で再生中であるコンテンツの再生を制御することを示す。ここで、前記リモコン１３２０は、外部インタフェースの一例に過ぎず、他のユーザインタフェース（例えば、タッチスクリーン、音声、ジェスチャー等）を介しても前記コンテンツの再生を制御できる。
【０１２７】
図１５は、本発明が適用される実施形態であって、セキュリティーの適用された高画質コンテンツを再生する途中に広告情報を出力する過程を説明するための図である。
【０１２８】
図１５の（ａ）ないし（ｃ）を述べると、再生装置１５００でセキュリティーの適用された高画質コンテンツを再生しているときにおける画面上に広告情報をディスプレイする過程を示す図である。
【０１２９】
まず、図１５の（ａ）は、セキュリティーの適用された高画質コンテンツを格納している格納装置３００が前記再生装置１５００にプラグインされた状態で、前記再生装置１５００がコンテンツ情報と共に広告情報アイコンを出力している図である。
【０１３０】
図１５の（ｂ）では、前記再生装置１５００でセキュリティーの適用された高画質コンテンツを再生している途中、リモコン１５２０を利用して広告情報アイコンをクリックすることを示す。このとき、前記広告情報アイコンのクリックは、前記再生装置１５００画面上の短縮ボタンをタッチすることによって行われるか、音声またはジェスチャー認識により行うこともできる。
【０１３１】
図１５の（ｃ）では、前記広告情報アイコンがクリックされたとき、前記再生装置１５００で前記広告情報をディスプレイし、それから前記コンテンツを購買するようになることを示す。ここで、前記広告情報は、メタデータからなることができ、前記リモコン１５２０の入力制御によってオンラインマーケットのような外部インターネットサイトに接続することができ、ユーザは、前記外部インターネットサイトを通じて該当コンテンツを購買できるようになる。
【０１３２】
図１６は、本発明が適用される実施形態であって、セキュリティーの適用された高画質コンテンツを再生する途中に出力される広告情報に含まれるメタデータを示す。
【０１３３】
前記広告情報のためのメタデータ１６００は、広告要素１６１０、広告時間要素１６２０及びマーケット位置要素１６３０のうち、少なくとも一つを含むことができる。
【０１３４】
前記広告要素１６１０は、ターゲット市場を分類するカテゴリー情報、広告が伝達される範囲情報、広告提供者識別情報、広告識別子及びバージョン情報のうち、少なくとも一つを含むことができる。
【０１３５】
前記広告時間要素１６２０は、広告開始時間情報及び広告終了時間情報を含むことができる。
【０１３６】
前記マーケット位置要素１６３０は、ターゲット市場リンクに対する情報を含むことができる。
【０１３７】
図１７ないし図１８は、本発明が適用される実施形態であって、車両ＡＶシステムで再生中であるセキュリティーの適用された高画質コンテンツを他の再生装置で再生する過程を説明するためのフローチャートである。
【０１３８】
図１７の（ａ）ないし（ｃ）を述べると、車両ＡＶシステムで再生中であるセキュリティーの適用された高画質コンテンツを第２再生装置で再生する過程を示した図である。
【０１３９】
まず、図１７の（ａ）は、セキュリティーの適用された高画質コンテンツを格納している車両ＡＶシステムにおける再生装置１７００（以下、第１再生装置という）を介してコンテンツを再生している図である。このとき、ユーザは、ユーザインタフェース、例えば音声認識１７３０を利用して前記第１再生装置１７００の再生制御を行うことができる。
【０１４０】
これと関連して、図１８を述べると、まず、前記格納装置３００が第１再生装置１７００にプラグインされると（Ｓ１８０１)、前記第１再生装置１７００は、自動的に電源をオンにすることができる（Ｓ１８０３）。前記第１再生装置１７００は、電源がオンになった後、プラグインされた装置を探索するようになり、探索結果、前記格納装置３００を確認することができる（Ｓ１８０５）。
【０１４１】
前記第１再生装置１７００は、前記格納装置３００内に含まれたコンテンツを検索し（Ｓ１８０７）、検索されたコンテンツのリストをディスプレイするようになる（Ｓ１８０９）。前記リストのうち、再生するコンテンツが選択された後、前記リモコン１３２０の再生開始要求により（Ｓ１８１１)、前記第１再生装置１７００は、前記格納装置３００から前記選択されたコンテンツをストリーミングするようになる（Ｓ１８１３）。このとき、ユーザは、前記第１再生装置１７００の再生情報設定が可能でありうる（Ｓ１８１５）。
【０１４２】
図１７の（ｂ）では、前記第１再生装置１７００でセキュリティーの適用された高画質コンテンツを再生している途中、ユーザが他の再生装置（以下、第２再生装置という）で前記セキュリティーの適用された高画質コンテンツを再生しようとする場合、接続可能な前記第２再生装置の目録を出力することを前記第１再生装置１７００に要求することを示す。前記第２再生装置の目録の出力は、ユーザの音声命令により行われるか、前記第１再生装置１３００の画面上の短縮ボタンをタッチすることによって行うか、または前記第２再生装置１８２０の無線通信接続設定により自動的に行うことができる。
【０１４３】
これと関連して、図１８を述べると、ユーザは、多様な方法により前記第２再生装置１８２０の目録を出力することを前記第１再生装置１７００に要求できる（Ｓ１８１７）。前記第１再生装置１７００は、前記要求を受けた場合、前記第２再生装置１８２０の目録を出力できる（Ｓ１８１９）。ユーザは、前記音声命令またはスクリーンタッチを介して前記第２再生装置の目録から前記第２再生装置１８２０を選択できる（Ｓ１８２１）。
【０１４４】
このとき、前記第１再生装置１７００は、前記第２再生装置１８２０に前記第２再生装置１８２０の関連情報を要求できる（Ｓ１８２３）。前記第２再生装置１８２０の関連情報とは、第２再生装置１８２０のデバイス識別情報、複製防止情報及びプロファイル情報のうち、少なくとも一つを含むことができる。前記要求によって、前記第２再生装置１８２０は、前記第２再生装置１８２０関連情報を前記第１再生装置１７００に転送できる（Ｓ１８２５）。
【０１４５】
前記第１再生装置１３００は、前記第２再生装置１８２０の関連情報に基づいて、前記第２再生装置１８２０が有効に認証されたかどうかを確認することができる（Ｓ１８２７）。前記確認の結果、前記第２再生装置１８２０が有効に認証された場合、前記第２再生装置１８２０は、前記第１再生装置１７００からコンテンツをストリーミングして再生するようになる（Ｓ１８２９）。
【０１４６】
図１７の（ｃ）では、前記第１再生装置１７００で再生中であるコンテンツを無線通信（ＷｉＦｉ）を介して前記第２再生装置１８２０で再生することを示す。
【０１４７】
図１９は、本発明が適用される実施形態であって、格納装置に格納されているセキュリティーの適用された高画質コンテンツを再生できない場合、他のコンテンツプロファイルをダウンロードする過程を説明するためのフローチャートである。
【０１４８】
図１９を述べると、まず、格納装置３００が再生装置１９００にプラグインされると（Ｓ１９０１)、前記再生装置１９００は、自動的に電源がオンになることができる（Ｓ１９０３）。前記再生装置１９００は、電源がオンになった後、プラグインされた装置を探索するようになり、探索の結果、前記格納装置３００を確認することができる。
【０１４９】
前記再生装置１９００は、前記格納装置３００内に含まれたコンテンツを検索し（Ｓ１９０５）、前記再生装置１９００は、前記格納装置３００から３Ｄ／ＵＨＤコンテンツメタデータを受信するようになる（Ｓ１９０７）。
【０１５０】
前記再生装置１９００内の特定アプリケーション１９０７は、前記受信した３Ｄ／ＵＨＤコンテンツメタデータに基づいて前記再生装置１９００の能力、すなわち前記格納装置３００に格納された３Ｄ／ＵＨＤコンテンツを再生できるかどうかを判断できる（Ｓ１９０９）。
【０１５１】
一方、認証サーバ１９１０では、認証リストをアップデートできる（Ｓ１９１１）。前記認証サーバ１９１０に格納された最新認証リストを前記再生装置１９００に転送できる（Ｓ１９１３）。前記認証サーバ１９１０と前記再生装置１９００との間及び／または前記認証サーバ１９１０と前記格納装置３００との間の通信を介して、３Ｄ／ＵＨＤコンテンツ再生のための認証手順が行われることができる（Ｓ１９１５、Ｓ１９１７）。その上、前記再生装置１９００は、コンテンツプロファイルに基づいて３Ｄ／ＵＨＤコンテンツが再生できるかどうかを判断することができる（Ｓ１９１９）。
【０１５２】
前記認証手順に基づいて、前記再生装置１９００が３Ｄ／ＵＨＤコンテンツの再生に適していないと判断された場合、ユーザ１９２０は、前記再生装置１９００により再生できる、代替可能なコンテンツプロファイルのダウンロードを前記再生装置１９００を経て小売り業者５００に要求できる（Ｓ１９２１）。
【０１５３】
前記小売り業者５００は、代替可能なコンテンツプロファイルのダウンロードができるかどうかを決定できる（Ｓ１９２３）。前記代替可能なコンテンツプロファイルのダウンロードが可能だと判断された場合、ユーザ１９２０は、前記再生装置１９００を介して前記小売り業者に前記代替可能なコンテンツプロファイルの購買を要求できる（Ｓ１９２５）。
【０１５４】
前記小売り業者５００は、前記代替可能なコンテンツプロファイルをダウンロードすることができるアドレス情報を前記再生装置１９００に転送できる（Ｓ１９２７）。前記再生装置１９００は、前記アドレス情報に基づいて、前記ダウンロードサーバ６００から前記代替可能なコンテンツプロファイルをダウンロードすることができる（Ｓ１９２９）。前記再生装置１９００は、前記代替可能なコンテンツプロファイルに基づいて、前記格納装置に格納された３Ｄ／ＵＨＤコンテンツを再生できるようになる（Ｓ１９３１）。
【０１５５】
（産業上利用可能性）
以上、前述した本発明の好ましい実施形態は、例示の目的のために開示されたものであり、当業者であれば、以下添付された特許請求の範囲に開示した本発明の技術的思想とその技術的範囲内で、多様な他の実施形態を改良、変更、代替または付加などが可能であるはずである。
【図１】
2016503605.tif 000004
【図２】
2016503605.tif 000005
【図３】
2016503605.tif 000006
【図４】
2016503605.tif 000007
【図５】
2016503605.tif 000008
【図６】
2016503605.tif 000009
【図７】
2016503605.tif 000010
【図８】
2016503605.tif 000011
【図９】
2016503605.tif 000012
【図１０】
2016503605.tif 000013
【図１１】
2016503605.tif 000014
【図１２】
2016503605.tif 000015
【図１３】
2016503605.tif 000016
【図１４】
2016503605.tif 000017
【図１５】
2016503605.tif 000018
【図１６】
2016503605.tif 000019
【図１７】
2016503605.tif 000020
【図１８】
2016503605.tif 000021
【図１９】
2016503605.tif 000022
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
脱着可能な格納装置に格納されたコンテンツを再生する方法であって、
前記格納装置の接続を探知するステップと、
前記探知された格納装置から認証情報（ｓｔｏｒａｇｅ  ｄｅｖｉｃｅ  ｃｅｒｔｉｆｉｃａｔｅ）を受信するステップと、
前記受信された認証情報をサーバに転送するステップと、
前記認証情報に基づいて、前記サーバから暗号化されたメディアファイル及び認証リストを受信するステップであって、前記認証リストは、再生装置、前記格納装置及び前記サーバのうち、少なくとも一つに対する適格性を認証するために利用される、ステップと、
前記暗号化されたメディアファイルと前記認証リストを前記格納装置に転送するステップであって、前記暗号化されたメディアファイルは前記格納装置に格納され、前記格納装置内の以前の認証リストは前記認証リストに基づいてアップデートされる、ステップと、
前記認証リストに基づいて、前記暗号化されたメディアファイルを再生するステップと、
を含む、コンテンツ再生方法。
【請求項２】
前記暗号化されたメディアファイルは、コンテンツレベル情報を含み、前記コンテンツレベル情報は、プロファイルレベルに基づいてカテゴリー化される、請求項１に記載のコンテンツ再生方法。
【請求項３】
前記以前の認証リストは、前記認証リストを前記以前の認証リストと同期化させることにより、アップデートされ、前記格納装置に予め格納される、請求項１に記載のコンテンツ再生方法。
【請求項４】
前記認証リストは、前記格納装置のセキュリティー領域に格納される、請求項１に記載のコンテンツ再生方法。
【請求項５】
前記暗号化されたメディアファイルは、前記再生装置にインストールされた特定アプリケーションに基づいて再生される、請求項１に記載のコンテンツ再生方法。
【請求項６】
安全な（secure)高画質コンテンツをダウンロードする方法であって、
再生装置から格納装置の認証情報を要求する信号を受信するステップと、
前記格納装置の認証情報を前記再生装置に転送するステップと、
前記認証情報に基づいて、サーバから暗号化されたメディアファイル及び認証リストを受信するステップであって、前記認証リストは、再生装置、前記格納装置及び前記サーバのうち、少なくとも一つに対する適格性を認証するために利用される、ステップと、
前記暗号化されたメディアファイルを前記格納装置に格納するステップと、
前記認証リストに基づいて前記以前の認証リストをアップデートするステップと、
を含む、安全な高画質コンテンツをダウンロードする方法。
【請求項７】
前記暗号化されたメディアファイルは、コンテンツレベル情報を含み、前記コンテンツレベル情報は、プロファイルレベルに基づいてカテゴリー化される、請求項６に記載の安全な高画質コンテンツをダウンロードする方法。
【請求項８】
前記以前の認証リストは、前記認証リストを前記以前の認証リストと同期化させることによって、アップデートされ、前記格納装置に予め格納される、請求項６に記載の安全な高画質コンテンツをダウンロードする方法。
【請求項９】
前記認証リストは、前記格納装置のセキュリティー領域に格納される、請求項６に記載の安全な高画質コンテンツをダウンロードする方法。
【請求項１０】
前記暗号化されたメディアファイルは、前記再生装置にインストールされた特定アプリケーションに基づいて再生される、請求項６に記載の安全な高画質コンテンツをダウンロードする方法。
【請求項１１】
脱着可能な格納装置に格納されたコンテンツを再生する装置であって、
前記格納装置の接続を探知し、前記探知された格納装置から認証情報を受信し、前記受信された認証情報をサーバに転送し、前記認証情報に基づいて前記サーバから暗号化されたメディアファイル及び認証リストを受信し、前記暗号化されたメディアファイルと前記認証リストを前記格納装置に転送する制御部であって、前記暗号化されたファイルは前記格納装置に格納され、前記格納装置内の以前の認証リストは前記認証リストに基づいてアップデートされる、制御部と、
前記アップデートされた認証リストに基づいて、前記暗号化されたメディアファイルをデコードするデコーダと、
前記デコードされたメディアファイルを出力する出力部とを備え、
前記認証リストは、再生装置、前記格納装置及び前記サーバのうち、少なくとも一つに対する適格性を認証するために利用される、コンテンツ再生装置。
【請求項１２】
前記暗号化されたメディアファイルは、コンテンツレベル情報を含み、前記コンテンツレベル情報は、プロファイルレベルに基づいてカテゴリー化される、請求項１１に記載のコンテンツ再生装置。
【請求項１３】
前記以前の認証リストは、前記認証リストを前記以前の認証リストと同期化させることによって、アップデートされ、前記格納装置に予め格納される、請求項１１に記載のコンテンツ再生装置。
【請求項１４】
前記暗号化されたメディアファイルは、前記再生装置にインストールされた特定アプリケーションに基づいて再生される、請求項１１に記載のコンテンツ再生装置。
【請求項１５】
安全な（secure)高画質コンテンツをダウンロードする装置であって、
再生装置から格納装置の認証情報を要求する信号を受信し、前記格納装置の認証情報を前記再生装置に転送し、前記認証情報に基づいてサーバから暗号化されたメディアファイル及び認証リストを受信するセキュリティー情報管理部と、
前記暗号化されたメディアファイルを格納するデータメモリと、
前記認証リストに基づいて以前の認証リストをアップデートするアップデート部とを備え、
前記認証リストは、前記再生装置、前記格納装置及び前記サーバのうち、少なくとも一つに対する適格性を認証するために利用される、安全な高画質コンテンツをダウンロードする装置。
【請求項１６】
前記暗号化されたメディアファイルは、コンテンツレベル情報を含み、前記コンテンツレベル情報は、プロファイルレベルに基づいてカテゴリー化される、請求項１５に記載の安全な高画質コンテンツをダウンロードする装置。
【請求項１７】
前記以前の認証リストは、前記認証リストを前記以前の認証リストと同期化させることによって、アップデートされ、前記格納装置に予め格納される、請求項１５に記載の安全な高画質コンテンツをダウンロードする装置。
【請求項１８】
前記暗号化されたメディアファイルは、前記再生装置にインストールされた特定アプリケーションに基づいて再生される、請求項１５に記載の安全な高画質コンテンツをダウンロードする装置。
【請求項１９】
脱着可能な格納装置に格納されたコンテンツを再生する車両用マルチメディアシステムであって、
前記格納装置の接続を探知するデジタルインタフェース部と、
前記探知された格納装置から認証情報を受信し、前記受信された認証情報をサーバに転送し、前記認証情報に基づいて前記サーバから暗号化されたメディアファイル及び認証リストを受信し、前記暗号化されたメディアファイルと前記認証リストを前記格納装置に転送するＡＶシステム部であって、前記暗号化されたメディアファイルは前記格納装置に格納され、前記格納装置内の以前の認証リストは前記認証リストに基づいてアップデートされる、ＡＶシステム部と、
前記認証リストに基づいて、前記暗号化されたメディアファイルを再生するディスプレイ部とを備え、
前記認証リストは、再生装置、前記格納装置及び前記サーバのうち、少なくとも一つに対する適格性を認証するために利用される、車両用マルチメディアシステム。
【国際調査報告】
2016503605.tif 000023
2016503605.tif 000024
2016503605.tif 000025
2016503605.tif 000026